(57)【要約】【課題】柱や土台に埋設される緊結用の金物を用いて、土台の上面に床下地パネル材を仮敷きした状態でも、アンカーボルトと柱とを容易に緊結接合できる柱脚部接合構造を提供する。【解決手段】土台側金物１１及び柱側金物１２を用いて、アンカーボルト３１と、土台３２上に立設する柱３３とを緊結接合する柱脚部接合構造１０であって、土台側金物１１は、土台埋設部１４と上部嵌込みホゾ部１５とを備える。柱３３の脚部３３ａには、土台側金物１１の上部嵌込みホゾ部１５の嵌込み穴３３ｂが形成されている。柱側金物１２は、嵌込み穴３３ｂの内部で天面部３３ｃから下方に突出する下部突出部１６と、天面部３３ｃより上方の柱埋設部１７とを備える。土台側金物１１の上部嵌込みホゾ部１５のピン係止孔１５ａと、柱側金物１２の下部突出部１６のピン係止孔１６ａとを合致させて、ドリフトピンを打ち込むことで、アンカーボルト３１と柱３３とを緊結接合する。【選択図】図１
2015081427.tif 000002
【特許請求の範囲】
【請求項１】
土台に取り付けられた土台側金物、及び柱に取り付けられた柱側金物を用いて、基礎の上面から上端雄ネジ部を突出させたアンカーボルトと、土台上に立設する柱とを緊結接合する柱脚部接合構造であって、
前記土台側金物は、前記土台を上下に貫通して形成された装着穴に装着固定された筒状の金物であり、これの中空内部に、前記アンカーボルトが締着される締着段部を備えると共に、前記土台に埋設される土台埋設部と、前記土台の上面から上方に突出する、ピン係止孔が形成された上部嵌込みホゾ部とを有しており、
前記柱の下端部には、下端面をホゾ穴状に窪ませて、前記土台側金物の前記上部嵌込みホゾ部が嵌め込まれる嵌込み穴が形成されており、
前記柱側金物は、前記柱の中心軸方向に延設して取り付けられた棒状の金物であり、前記柱に形成された前記嵌込み穴の内部において、前記嵌込み穴の天面部から下方に突出するピン係止孔が形成された下部突出部と、前記天面部より上方部分の前記柱に埋設固定された柱埋設部とを有しており、
前記アンカーボルトを前記土台側金物の前記締着段部に締着して、前記土台を前記基礎に固定すると共に、前記土台の上面から突出する前記上部嵌込みホゾ部を前記嵌込み穴に嵌め込んで、前記柱を前記土台上に立設させ、且つ前記土台側金物の前記上部嵌込みホゾ部のピン係止孔と、前記柱側金物の前記下部突出部のピン係止孔とを合致させて、これらに係止ピンを打ち込むことによって、前記アンカーボルトと前記柱とを緊結接合する柱脚部接合構造。
【請求項２】
前記柱側金物は、前記下部突出部の突出基端部分に、前記下部突出部の外周面から外側に張り出して設けられた、前記土台側金物の前記上部嵌込みホゾ部の内径と同様の外径を備える張出しフランジを備えており、該張出しフランジを前記上部嵌込みホゾ部の内側に配置した状態で、合致させた前記ピン係止孔に係止ピンが打ち込まれている請求項１記載の柱脚部接合構造。
【請求項３】
前記土台側金物の前記上部嵌込みホゾ部の上端面を切り欠いて、回転係止凹部が形成されていると共に、前記柱側金物の前記張出フランジの周縁部から径方向外側に突出して、回転係止凸部が設けられており、該回転係止凸部を前記回転係止凹部に係止した状態で、前記張出フランジが前記上部嵌込みホゾ部の内側に配置されている請求項２記載の柱脚部接合構造。
【請求項４】
前記土台の前記土台側金物が取り付けられた部分の側面や端面に、接合金物が取り付けられている請求項１〜３のいずれか１項記載の柱脚部接合構造。
【請求項５】
前記土台側金物の前記土台埋設部の周面に、雌ネジ孔が形成されており、該雌ネジ孔に、前記接合金物を前記土台の側面や端面に固定する固定ボルトの雄ネジ部が締着されている請求項４記載の柱脚部接合構造。
【発明の詳細な説明】
【技術分野】
【０００１】
本発明は、柱脚部接合構造に関し、特に、基礎の上面から上端雄ネジ部を突出させたアンカーボルトと、土台上に立設する柱とを緊結接合する柱脚部接合構造に関する。
【背景技術】
【０００２】
例えば木造住宅建築物等の木造の建物において、基礎と、基礎の上面に設置した土台から立設する柱とを緊結する構造として、一般に、柱の脚部の側面に取り付けたホールダウン金物に、基礎の上面から突出するアンカーボルトの上端雄ネジ部を締着させるものが知られている。一方、柱の脚部の側面に取り付けたホールダウン金物は、例えば筋違いを取り付ける際の邪魔になったり、熱橋になったりするとった問題があったことから、これに代わる構造として、柱とアンカーボルトとを緊結する柱脚金具を、柱の脚部や土台に埋設するようにした柱脚部接合構造が開発されている（例えば、特許文献１参照）。
【０００３】
特許文献１の柱脚部接合構造では、柱脚金具は、土台に埋設されてアンカーボルトと緊結される円筒形状の土台埋設部と、円柱状の係合部を下方に突出させて柱の底面部に固定されるホゾ部とが、別体として形成されており、基礎の上面に土台を設置した後に、柱の底面部から突出するホゾ部の係合部を土台埋設部に嵌め込むことによって、柱を土台から立設させた状態で、ホゾ部の係合部に形成された連結孔と、土台埋設部に形成された連結孔とを合致させて、これらに係止ピンを打ち込むことにより、アンカーボルトと柱とを緊結するようになっている。
【先行技術文献】
【特許文献】
【０００４】
【特許文献１】特許第３４８８８７０号公報
【発明の概要】
【発明が解決しようとする課題】
【０００５】
しかしながら、特許文献１に記載の柱脚金具を用いた柱脚部接合構造では、合致させたホゾ部の連結孔及び土台埋設部の連結孔に打ち込まれる係止ピンは、土台の側面から打ち込まれるものであるため、例えば土台の上面に支持させて床下地パネル材を仮敷きして、足場を形成した状態では、仮敷きした床下地パネル材が邪魔になって、土台の側面から係止ピンを打ち込むことでアンカーボルトと柱とを緊結することは困難になる。
【０００６】
また、柱が立設する部分の土台の側面や端面に、他の土台の端面や、大引等の梁部材の端面を接合することは、係止ピンを打ち込むための打込み孔との取り合いの関係で、困難になる場合があると共に、仕口や継手用の接合金物を取り付けることが困難になる場合がある。
【０００７】
本発明は、柱の脚部や土台に埋設される緊結用の金物を用いて、例えば土台の上面に床下地パネル材を仮敷きした状態でも、アンカーボルトと柱とを容易に緊結接合することができると共に、係止ピンを打ち込むための打込み孔との取り合いを考慮することなく、柱が立設する部分の土台の側面や端面に、他の土台や梁部材の端面を接合したり、仕口や継手用の接合金物を取り付けたりすることのできる柱脚部接合構造を提供することを目的とする。
【課題を解決するための手段】
【０００８】
本発明は、土台に取り付けられた土台側金物、及び柱に取り付けられた柱側金物を用いて、基礎の上面から上端雄ネジ部を突出させたアンカーボルトと、土台上に立設する柱とを緊結接合する柱脚部接合構造であって、前記土台側金物は、前記土台を上下に貫通して形成された装着穴に装着固定された筒状の金物であり、これの中空内部に、前記アンカーボルトが締着される締着段部を備えると共に、前記土台に埋設される土台埋設部と、前記土台の上面から上方に突出する、ピン係止孔が形成された上部嵌込みホゾ部とを有しており、前記柱の下端部には、下端面をホゾ穴状に窪ませて、前記土台側金物の前記上部嵌込みホゾ部が嵌め込まれる嵌込み穴が形成されており、前記柱側金物は、前記柱の中心軸方向に延設して取り付けられた棒状の金物であり、前記柱に形成された前記嵌込み穴の内部において、前記嵌込み穴の天面部から下方に突出するピン係止孔が形成された下部突出部と、前記天面部より上方部分の前記柱に埋設固定された柱埋設部とを有しており、前記アンカーボルトを前記土台側金物の前記締着段部に締着して、前記土台を前記基礎に固定すると共に、前記土台の上面から突出する前記上部嵌込みホゾ部を前記嵌込み穴に嵌め込んで、前記柱を前記土台上に立設させ、且つ前記土台側金物の前記上部嵌込みホゾ部のピン係止孔と、前記柱側金物の前記下部突出部のピン係止孔とを合致させて、これらに係止ピンを打ち込むことによって、前記アンカーボルトと前記柱とを緊結接合する柱脚部接合構造を提供することにより、上記目的を達成したものである。
【０００９】
そして、本発明の柱脚部接合構造は、前記柱側金物が、前記下部突出部の突出基端部分に、前記下部突出部の外周面から外側に張り出して設けられた、前記土台側金物の前記上部嵌込みホゾ部の内径と同様の外径を備える張出しフランジを備えており、該張出しフランジを前記上部嵌込みホゾ部の内側に配置した状態で、合致させた前記ピン係止孔に係止ピンが打ち込まれていることが好ましい。
【００１０】
また、本発明の柱脚部接合構造は、前記土台側金物の前記上部嵌込みホゾ部の上端面を切り欠いて、回転係止凹部が形成されていると共に、前記柱側金物の前記張出フランジの周縁部から径方向外側に突出して、回転係止凸部が設けられており、該回転係止凸部を前記回転係止凹部に係止した状態で、前記張出フランジが前記上部嵌込みホゾ部の内側に配置されていることが好ましい。
【００１１】
さらに、本発明の柱脚部接合構造は、前記土台の前記土台側金物が取り付けられた部分の側面や端面に、接合金物が取り付けられていることが好ましい。
【００１２】
さらにまた、本発明の柱脚部接合構造は、前記土台側金物の前記土台埋設部の周面に、雌ネジ孔が形成されており、該雌ネジ孔に、前記接合金物を前記土台の側面や端面に固定する固定ボルトの先端雄ネジ部が締着されていることが好ましい。
【発明の効果】
【００１３】
本発明の柱脚部接合構造によれば、柱の脚部や土台に埋設される緊結用の金物を用いて、例えば土台の上面に床下地パネル材を仮敷きした状態でも、アンカーボルトと柱とを容易に緊結接合することができると共に、係止ピンを打ち込むための打込み孔との取り合いを考慮することなく、柱が立設する部分の土台の側面や端面に、他の土台や梁部材の端面を接合したり、仕口や継手用の接合金物を取り付けたりすることができる
【図面の簡単な説明】
【００１４】
【図１】本発明の好ましい一実施形態に係る柱脚部接合構造を、土台及び柱を透視した状態で説明する、図２を下方から見た正面図である。
【図２】本発明の好ましい一実施形態に係る柱脚部接合構造を、土台及び柱を透視した状態で説明する、図１のＡ−Ａに沿った断面図である。
【図３】本発明の好ましい一実施形態に係る柱脚部接合構造を、土台及び柱を透視した状態で説明する、図１を左側から見た側面図である。
【図４】（ａ）は、土台に取り付けられた土台側金物にアンカーボルトが締着された状態の断面図、（ｂ）は土台側金物の上面図である。
【図５】（ａ）は、柱に取り付けられた柱側金物の断面図、（ｂ）は（ａ）のＢ−Ｂに沿った断面図である。
【図６】（ａ）は、柱を土台から立設させる前の状態を説明する斜視図、（ｂ）は、柱を土台から立設させた状態を説明する斜視図である。
【発明を実施するための形態】
【００１５】
図１〜図３に示す本発明の好ましい一実施形態に係る柱脚部接合構造１０は、例えば木造住宅建築物において、コンクリート製の基礎３０に埋設固定されたアンカーボルト３１と、基礎３０の上面に設置した土台３２から立設する柱３３とを、緊結用の金物１１，１２を用いて緊結して、基礎３０と土台３２と柱３３の脚部３３ａとを強固に接合一体化することで、柱３３の脚部３３ａにおける必要な耐力を、安定した状態で得られるようにする構造として採用されたものである。また、本実施形態の柱脚部接合構造１０は、工場等において土台３２や柱３３に予め取り付けられた土台側金物１１や柱側金物１２を緊結用の金物として、建設現場では多くの手間を要することなく、これらの緊結用の金物１１，１２を土台３２や柱３３の内部に埋設した状態で、容易に且つスムーズにアンカーボルト３１と柱３３とを緊結できるようにすると共に、例えば土台３２の上面に支持させて仮敷きした床下地パネル材３６を足場として、さらに容易に緊結作業を行えるようにするものである。
【００１６】
そして、本発明の柱脚部接合構造１０は、図１〜図３に示すように、土台３２に取り付けられた土台側金物１１、及び柱３３に取り付けられた柱側金物１２を用いて、基礎３０の上面３０ａから上端雄ネジ部３１ａを突出させたアンカーボルト３１と、土台３２上に立設する柱３３とを緊結接合する接合構造であって、土台側金物１１は、土台３２を上下に貫通して形成された装着穴３２ａに装着固定された筒状の金物からなり、図４（ａ）、（ｂ）にも示すように、これの中空内部に、アンカーボルト３１が締着される締着段部１３を備えると共に、土台３２に埋設される土台埋設部１４と、土台３２の上面から上方に突出する、ピン係止孔１５ａが形成された上部嵌込みホゾ部１５とを有している。図５（ａ）、（ｂ）にも示すように、柱３３の下端部である脚部３３ａには、下端面をホゾ穴状に窪ませて、土台側金物１１の上部嵌込みホゾ部１５が嵌め込まれる嵌込み穴３３ｂが形成されている。柱側金物１２は、柱３３の中心軸方向に延設して取り付けられた棒状の金物からなり、柱３３に形成された嵌込み穴３３ｂの内部において、嵌込み穴３３ｂの天面部３３ｃから下方に突出するピン係止孔１６ａが形成された下部突出部１６と、天面部３３ｃより上方部分の柱３３に埋設固定された柱埋設部１７とを有している。アンカーボルト３１を土台側金物１１の締着段部１３に締着して、土台３２を基礎３０に固定すると共に、土台３２の上面から突出する上部嵌込みホゾ部１５を嵌込み穴３３ｂに嵌め込んで、柱３３を土台３２上に立設させ、且つ土台側金物１１の上部嵌込みホゾ部１５のピン係止孔１５ａと、柱側金物１２の下部突出部１６のピン係止孔１６ａとを合致させて、これらに係止ピン１８として好ましくはドリフトピンを打ち込むことによって、アンカーボルト３１と柱３３とを緊結接合する（図６（ａ）、（ｂ）参照）。
【００１７】
また、本実施形態では、柱側金物１２は、下部突出部１６の突出基端部分に、下部突出部１６の外周面から外側に張り出して設けられた、土台側金物１１の上部嵌込みホゾ部１５の内径と同様の外径を備える張出しフランジ１９を備えており、この張出しフランジ１９を上部嵌込みホゾ部１５の内側に配置した状態で、合致させたピン係止孔１５ａ，１６ａにドリフトピン１８が打ち込まれている。
【００１８】
さらに、本実施形態では、土台側金物１１の上部嵌込みホゾ部１５の上端面を切り欠いて、回転係止凹部１５ｂが形成されていると共に（図４（ａ）、（ｂ）参照）、柱側金物１２の張出フランジ１９の周縁部から径方向外側に突出して、回転係止凸部１９ａが設けられており（図５（ａ）、（ｂ）参照）、この回転係止凸部１９ａを回転係止凹部１５ｂに係止した状態で、張出フランジ１９が上部嵌込みホゾ部１５の内側に配置されている。
【００１９】
本実施形態では、基礎３０は、例えば鉄筋コンクリート製の布基礎となっている。アンカーボルト３１は、図１及び図３に示すように、基礎３０の内部に埋設定着部３１ｂを相当の長さで埋設すると共に、上端雄ネジ部３１ａを、基礎３０の上面３０ａから例えば１４０ｍｍ程度の長さで突出させた状態で、基礎３０の延設方向に所定のピッチで複数配設されている。基礎３０の上面３０ａに重ねるようにして、土台３２が、好ましくは基礎３０との間に通気路を保持するための例えば２０ｍｍ程度の厚さのスペーサ部材３４を介在させた状態で、設置されている。
【００２０】
土台３２は、本実施形態では、例えば１０５ｍｍ×１０５ｍｍの木製の角材からなる。土台３２には、これの上下方向に貫通して、複数のアンカーボルト締着孔（図示せず）が、アンカーボルト３１の配設ピッチと同様の配設ピッチで形成されていると共に、柱３３を立設させる部分には、上下方向に貫通して、例えば５２ｍｍ程度の内径を有する円形断面の金物装着穴３２ａが、複数箇所に開口形成されている。これらの金物装着穴３２ａには、土台側金物１１の土台埋設部１４が、予め工場等において、ピッタリと嵌め込むようにして接合固定されている。
【００２１】
また、本実施形態では、土台側金物１１は、土台３２の端部に形成された金物装着穴３２ａに取り付けられたものとなっており、土台３２の端部には、図２にも示すように、これの端面３２ｂから軸方向に継ぎ足されて、他の土台３２’の端面３２ｂ’が接合されるようになっていると共に、これの側面３２ｃから垂直方向に延設させて、大引等の梁部材３４の端面３４ａが接合されるようになっている。このため、本実施形態では、土台３２の端部の端面３２ｂや側面３２ｃに、後述する接合金物２０、２１を取り付けるための、ボルト締着凹部３２ｄやボルト挿入孔３２ｅが形成されている。
【００２２】
柱３３は、本実施形態では、例えば１０５ｍｍ×１０５ｍｍの木製の角材からなる。柱３３の下端部である脚部３３ａには、下端面の中央部分をホゾ穴状に窪ませて、嵌込み穴３３ｂが形成されている。嵌込み穴３３ｂは、土台３２に形成された金物装着穴３２ａと同様に、例えば５２ｍｍ程度の内径の円形断面を有しており、後述する土台側金物１１の上部嵌込みホゾ部１５の長さと同様の深さとして、例えば６５ｍｍ程度の深さで形成されている。
【００２３】
また、柱３３には、嵌込み穴３３ｂの深さ方向の最深部である天面部３３ｃから、さらに上方に向けて穿孔されて、嵌込み穴３３ｂよりも小径の円形断面を有する金物定着孔３３ｄが、嵌込み穴３３ｂと同心状に配置されて形成されている。金物定着孔３３ｄは、円形断面を有する棒状の金物である柱側金物１２の外径と同様の内径を備えると共に、柱側金物１２の柱埋設部１５の長さよりも、僅かに深い深さで形成されている。この金物定着孔３３ｄに、柱側金物１２の柱埋設部１５を、予め工場等において、ピッタリと嵌め込むようにして接合固定することによって、柱側金物１２が、下部突出部１６を天面部３３ｃから嵌込み穴３３ｂの内部に突出させた状態で、柱３３の脚部３３ａに取り付けられる。
【００２４】
さらに、柱３３の脚部３３ａには、嵌込み穴３３ｂの内部で中心軸を合致させた、土台側金物１１の上部嵌込みホゾ部１５のピン係止孔１５ａ、及び柱側金物１２の下部突出部１６のピン係止孔１６ａに向けて、ドリフトピン１８を打ち込ませるための、係止ピン打込み孔３３ｅが、柱３３の対向する一対の側面を貫通して設けられていると共に、金物定着孔３３ｄが形成された高さ位置に、柱側金物１２を固定するための固定ピン打込み孔３３ｆが、柱３３の対向する一対の側面を貫通して設けられている。固定ピン打込み孔３３ｆは、本実施形態では、柱３３の対向する一方の一対の側面及び他方の一対の側面を貫通して、上下２段に形成されている。さらにまた、本実施形態では、固定ピン打込み孔３３ｆが形成された高さ位置と係止ピン打込み孔３３ｅが形成された高さ位置との間の部分には、金物定着孔３３ｄを挟んだ両側に配置されて、補強用の一対の皿ウッドスクリュー部材２２が、ねじ込まれるようにして取り付けられている。
【００２５】
本実施形態では、土台３２に取り付けられた土台側金物１１は、図１、図３、及び図４（ａ）、（ｂ）に示すように、例えば５２ｍｍ程度の外径を備える円筒形状の金物となっており、例えば１７０ｍｍ程度の長さを有している。土台側金物１１は、例えば１０５ｍｍ程度の長さの下方部分を土台埋設部１４として、土台３２の金物装着穴３２ａに嵌め込んで接合固定することにより、例えば６５ｍｍ程度の長さの上方部分を上部嵌込みホゾ部１５として、土台３２の上面から突出させた状態で、土台３２に取り付けられる。土台側金物１１には、土台埋設部１４と上部嵌込みホゾ部１５との境界部分の内周面から内側に突出して、円環形状に連続するフランジ状の締着段部１３が設けられている。アンカーボルト３１の上端雄ネジ部３１ａの、締着段部１３よりも上方に突出する部分に、好ましくは偏心座金３５ａを介在させてナット部材３５ｂを螺合して、締着段部１３に締着させることにより、土台側金物１１が、アンカーボルト３１と強固に緊結された状態で土台３２に取り付けられる。
【００２６】
また、土台側金物１１の土台埋設部１４の周面には、土台３２の端部の端面３２ｂや側面３２ｃに形成された、後述する接合金物２０，２１を取り付けるためのボルト挿入孔３２ｅと合致する位置に、雌ネジ孔２３が形成されている。さらに、土台側金物１１の上部嵌込みホゾ部１５の周面には、柱側金物１２のピン係止孔１６ａと合致させて、ドリフトピン１８を打ち込むためのピン係止孔１５ａが、径方向に対向配置されて一対設けられている。さらにまた、土台側金物１１の上部嵌込みホゾ部１５の上端面には、柱側金物１２の張出フランジ１９の回転係止凸部１９ａを係止させる回転係止凹部１５ｂが、径方向に対向配置されて一対設けられている。
【００２７】
本実施形態では、柱３３に取り付けられた柱側金物１２は、図１、図３、及び図５（ａ）、（ｂ）に示すように、例えば２７．２ｍｍ程度の外径を備える円柱形状の棒状の金物となっており、例えば１５０ｍｍ程度の長さを有している。柱側金物１２は、例えば１１５ｍｍ程度の長さの上方部分を柱埋設部１７として、柱３３の金物定着孔３３ｄに嵌め込んで接合固定することにより、例えば３５ｍｍ程度の長さの下端部分を下部突出部１６として、嵌込み穴３３ｂの天面部３３ｃから下方に突出させた状態で、柱３３に取り付けられる。柱側金物１２には、下部突出部１６の突出基端部分に、嵌込み穴３３ｂの天面部３３ｃに密着するように配置されて、円環形状の張出しフランジ１９が、溶接によって接合された状態で取り付けられている。張出しフランジ１９は、土台側金物１１の上部嵌込みホゾ部１５の内径と同様の外径を有していると共に、周縁部の径方向に対向する位置から外側に突出させて、土台側金物１１の回転係止凹部１５ｂに係止される、一対の回転係止凸部１９ａが設けられている。
【００２８】
また、柱側金物１２の柱埋設部１７には、張出しフランジ１９が嵌込み穴３３ｂの天面部３３ｃに密着するまで金物定着孔３３ｄに嵌め込んだ状態で、柱３３の脚部３３ａに形成された固定ピン打込み孔３３ｆと合致する位置に、固定ピン係止孔１７ａが形成されている。固定ピン係止孔１７ａは、垂直に交差する方向に穿孔されて、上下２段に一対形成されている。固定ピン係止孔１７ａを、柱３３の脚部３３ａの固定ピン打込み孔３３ｆに各々合致させた状態で、固定ピンとして、好ましくはドリフトピン２４を打ち込むことによって、柱側金物１２が、柱３３の脚部３３ａに強固に接合固定される。
【００２９】
さらに、柱側金物１２の下部突出部１６には、柱３３の脚部３３ａに形成された係止ピン打込み孔３３ｅと中心軸を合致させて、ピン係止孔１６ａが貫通形成されている。
【００３０】
そして、本実施形態では、図１〜図３に示すように、土台３２の端部の端面３２ｂや側面３２ｃに、他の土台３２’の端面３２ｂ’や大引等の梁部材３４の端面３４ａを接合するための、接合金物２０，２１が取り付けられている。接合金物２０、２１は、例えば特開２０１３−１１１３４号公報に記載された、端面接合金物や側面接合金物と略同様の構成を備える。すなわち、接合金物２０、２１は、金属製のプレート部材に折り曲げ加工等を施すことによって、略コの字断面形状を有するように加工形成されたプレート状の金物となっている。接合金物２０，２１は、略コの字断面形状の中間辺部による当接プレート部２０ａ、２１ａと、略コの字断面形状の一対の側辺部による張出しプレート部２０ｂ，２１ｂとからなる。当接プレート部２０ａ，２１ａには、土台３２の端部の端面３２ｂや側面３２ｃに形成されたボルト締着凹部３２ｄに位置決め装着される位置決め突部２０ｃ，２１ｃが、外側に突出して形成されている。これらの位置決め突部２０ｃ，２１ｃの中央部分には、ボルト締着孔が開口形成されている。
【００３１】
位置決め突部２０ｃ，２１ｃのボルト締着孔を介して、土台３２の端部の端面３２ｂや側面３２ｃに形成されたボルト挿入孔３２ｅに、固定ボルト２５の雄ネジ部２５ａを挿入すると共に、挿入した雄ネジ部２５ａを、ボルト挿入孔３２ｅと合致させた土台側金物１１の土台埋設部１４の雌ネジ孔２３に螺合させて、固定ボルト２５の頭部２５ａを位置決め突部２０ｃ，２１ｃ及びボルト締着凹部３２ｄに締着させる。これによって、接合金物２０，２１が、土台３２の端部の端面３２ｂや側面３２ｃに、強固に且つ安定した状態で取り付けられる。
【００３２】
また、本実施形態では、接合金物２０，２１の一対の張出しプレート部２０ｂ，２１ｂには、各々、当該接合金物２０，２１を介して土台３２の端部に他の土台３２’の端面３２ｂ’や梁部材３４の端面３４ａを接合する際に使用する、ドリフトピン２６を係止させるためのドリフトピン係合孔２０ｄ，２１ｄやドリフトピン係合切欠き２０ｅ，２１ｅが形成されている。他の土台３２’の端面３２ｂ’や梁部材３４の端面３４ａに形成された、一対の平行な接合溝３５（図２参照）を含む略コの字断面形状の切欠き凹部に接合金物２０，２１を装着するようにして、他の土台３２’の端部や梁部材３４の端部を土台３２の端部に位置決めした状態で、他の土台３２’の端部や梁部材３４の端部の側面に形成したドリフトピン打込孔３６を介してドリフトピン２６を打ち込んで、接合金物２０，２１のドリフトピン係合孔２０ｄ，２１ｄやドリフトピン係合切欠き２０ｅ，２１ｅに係止させることで、土台３２の端部に、他の土台３２’の端面３２ｂ’や梁部材３４の端面３４ａが、強固に且つ安定した状態で接合固定される。
【００３３】
上述の構成を備える本実施形態の柱脚部接合構造１０では、図６（ａ）に示すように、例えば木造住宅建築物の施工現場において、端部の端面３２ｂ及び側面３２ｃに接合金物２０，２１が取り付けられていると共に、装着穴３２ａに土台埋設部１４が埋設されて、上部嵌込みホゾ部１５を上方に突出させた状態で土台側金物１１が取り付けられている土台３２に対して、図１及び図３に示すように、これの端面３２ｂや側面３２ｃに、他の土台３２’の端面３２ｂ’や梁部材３４の端面３４ａが接合される。また、土台３２や他の土台３２’や梁部材３４の上面に支持させて、床下地パネル材３６を仮敷きすることで、例えば柱３３に取り付けられる部分を切り欠いた状態で、足場が形成される。
【００３４】
しかる後に、他の土台３２’や梁部材３４や床下地パネル材３６を省略して示す図６（ｂ）に示すように、柱側金物１２か取り付けられた柱３３の脚部３３ａを、嵌込み穴３３ｂに土台３２の上面から突出する上部嵌込みホゾ部１５を嵌め込むと共に、柱側金物１２の張出しフランジ１９を土台側金物１１の回転係止凹部１５ｂに係止させつつ張出しフランジ１９を上部嵌込みホゾ部１５の内側に配置して（図１、図３参照）、柱３３を土台３２の上面から立設させて位置決めした状態で、合致した土台側金物１１の上部嵌込みホゾ部１５のピン係止孔１５ａ、及び柱側金物１２の下部突出部１６のピン係止孔１６ａに向けて、柱３３の脚部３３ａに形成された係止ピン打込み孔３３ｅを介してドリフトピン１８を打ち込むだけの簡単な作業によって、アンカーボルト３１と柱３３とを、強固に且つ容易に緊結接合することが可能になる。
【００３５】
したがって、本実施形態の柱脚部接合構造１０によれば、柱３３の脚部３３ａや土台３２に埋設される緊結用の土台側金物１１及び柱側金物１２を用いて、例えば土台３２の上面に床下地パネル材３６を仮敷きした状態でも、アンカーボルト３１と柱３３とを容易に緊結接合することが可能になると共に、係止ピン３１を打ち込むための打込み孔３３ｅとの取り合いを考慮することなく、柱３３が立設する部分の土台３２の側面３２ｃや端面３２ｂに、他の土台３２’や梁部材３４の端面を接合したり、仕口や継手用の接合金物２０，２１を取り付けたりすることが可能になる。
【００３６】
また、本実施形態によれば、柱側金物１２は、下部突出部１６の突出基端部分に、土台側金物１１の上部嵌込みホゾ部１５の内径と同様の外径を備える張出しフランジ１９を備えており、この張出しフランジ１９を上部嵌込みホゾ部１５の内側に配置した状態で、合致させたピン係止孔１５ａ，１６ａにドリフトピン１８が打ち込まれているので、より安定した状態でアンカーボルト３１と柱３３とを緊結接合することが可能になる。
【００３７】
さらに、本実施形態によれば、土台側金物１１の上部嵌込みホゾ部１５の上端面を切り欠いて、回転係止凹部１５ｂが形成されていると共に、柱側金物１２の張出フランジ１９の周縁部から径方向外側に突出して、回転係止凸部１９ａが設けられており、この回転係止凸部１９ａを回転係止凹部１５ｂに係止した状態で、張出フランジ１９が上部嵌込みホゾ部１５の内側に配置されているので、柱３３を土台３２の上面に位置決めして立設させる作業を容易に行うことが可能になると共に、柱３３を立設させてからドリフトピン１８が打ち込まれるまでの間に、柱３３が土台３２に対して回転方向に位置ずれするのを、効果的に回避することが可能になる。
【００３８】
なお、本発明は上記実施形態に限定されることなく種々の変更が可能である。例えば、土台側金物や装着穴は、土台の端部に設けられている必要は必ずしも無く、柱は、土台の端部以外の中間部分から立設するものであっても良い。また、土台の土台側金物が取り付けられた部分の側面や端面に、接合金物が取り付けられている必要は必ずしも無い。柱側金物の下部突出部の突出基端部分に、上部嵌込みホゾ部の内径と同様の外径を備える張出しフランジを備えている必要は必ずしも無い。
【符号の説明】
【００３９】
１０  柱脚部接合構造
１１  土台側金物
１２  柱側金物
１３  締着段部
１４  土台埋設部
１５  上部嵌込みホゾ部
１５ａ  ピン係止孔
１５ｂ  回転係止凹部
１６  下部突出部
１６ａ  ピン係止孔
１７  柱埋設部
１８  ドリフトピン（係止ピン）
１９  張出しフランジ
１９ａ  回転係止凸部
２０，２１  接合金物
２３  雌ネジ孔
２５  固定ボルト
２５ａ  雄ネジ部
３０  基礎
３１  アンカーボルト
３１ａ  上端雄ネジ部
３２  土台
３２ａ  装着穴
３３  柱
３３ａ  脚部
３３ｂ  嵌込み穴
３３ｃ  天面部
３４  スペーサ部材
３６  床下地パネル材
【図１】
2015081427.tif 000003
【図２】
2015081427.tif 000004
【図３】
2015081427.tif 000005
【図４】
2015081427.tif 000006
【図５】
2015081427.tif 000007
【図６】
2015081427.tif 000008